(57)【要約】【課題】容易に大型化できるとともに、効果的に風を集風して排出できる集風装置を提供する。【解決手段】前面側から取り込んだ風を後面側に設けられた排出口５に集風する集風部２を備え、排出口５は集風部２の前面の上端より下方に設けられ、集風部２は前面側から後面側に向かうほど流路断面積が小さくなっており、集風部２は、空気が充填される空洞部を有する集風ユニット１０を有し、集風部２の上端部に大気中で浮力を有するバルーン５０が接続され、集風部２の下端部に錘５５が接続されているので、容易に大型化できるとともに、効果的に風を集風して排出できる。【選択図】図１
2018031269.tif 000002
【特許請求の範囲】
【請求項１】
前面側から取り込んだ風を後面側に設けられた排出口に集風する集風部を備えた集風装置であって、
前記排出口は前記集風部の前面の上端より下方に設けられ、
前記集風部は前記前面側から前記後面側に向かうほど流路断面積が小さくなっており、
前記集風部は、空気が充填される空洞部を有しており、
前記集風部の上端部に大気中で浮力を有するバルーンが接続され、前記集風部の下端部に錘が接続されていることを特徴とする集風装置。
【請求項２】
前記集風部は、左右一対の側壁部と、これら一対の側壁部間に架設された上壁部とを有し、
一対の前記側壁部は前記前面側から前記後面側に向うほど接近するように配置され、
前記上壁部は、前記前面側から前記後面側に向けて下方に傾斜するように配置されていることを特徴とする請求項１に記載の集風装置。
【請求項３】
前記側壁部および前記上壁部は、それぞれ複数の集風ユニットを連結することによって構成され、
前記集風ユニットは、枠状部材と、この枠状部材に取り付けられたエアーマットとを備え、
前記集風ユニットどうしは、それらの枠状部材どうしを連結することによって、連結されていることを特徴とする請求項２に記載の集風装置。
【請求項４】
請求項１〜４のいずれか１項に記載の集風装置と、
この集風装置の前記排出口に接続された風力発電装置とを備えていること特徴とする風力発電設備。
【請求項５】
前記風力発電装置は、筒状体と、この筒状体の内部に当該筒状体の軸方向に沿って設けられた軸部と、前記筒状体の内部において、前記軸部に同軸かつ前記軸部の軸方向に複数設けられた羽根車とを備え、
前記羽根車は、前記軸部が挿通されることで、当該軸部に支持される筒状の支持部材と、この支持部材に軸受を介して軸回りに回転可能に設けられた回転体と、この回転体の外周部に設けられた複数の羽根とを備え、
前記支持部材と回転体とのうちの、いずれか一方に永久磁石が設けられ、他方にコイルが前記永久磁石と所定の隙間をもって設けられていることを特徴とする請求項４に記載の風力発電設備。
【発明の詳細な説明】
【技術分野】
【０００１】
本発明は、集風装置および風力発電設備に関する。
【背景技術】
【０００２】
近年、環境意識の高まりから、再生エネルギー型発電装置として風力発電装置が注目されている。小型の風力発電装置は、風のあるところなら、基本的にどこにでも設置が可能である。
このため、特に電力需要の多いビルなどの建築物では、ビルの共有部分の照明等の付帯設備への電力供給や、停電などの際の補完的電力供給設備として、風力発電装置をビルなどの建築物の周囲や屋上などに設置し、活用することが期待されている。
建物の屋上を流れる風を有効に利用して風力発電装置の効率的な稼働を図るための集風装置の一例として特許文献１に記載のものが知られている。
【０００３】
この集風装置は、建築物の屋上に設けられ、かつ当該屋上と平面視で略同一形状を有する下側集風構造体と上側集風構造体とを備えている。
下側集風構造体は、建築物の屋上部分を、中央部に平坦で水平な面を有する凸部を上方に向けた穏やかな円弧面状に被装し、上側集風構造体は、下側集風構造体の上方に配設され、当該下側集風構造体とは上下に略対称の形状をしている。
そして、下側集風構造体と上側集風構造体との当該平坦な面で囲まれた空間内に、垂直軸型風力発電装置が配設されるようになっている。
【先行技術文献】
【特許文献】
【０００４】
【特許文献１】特開２０１４−３４８８９号公報
【発明の概要】
【発明が解決しようとする課題】
【０００５】
ところで、前記従来の集風装置は、建築物の屋上に設置されるものであり、この集風装置によって集風された風を利用して垂直軸型風力発電装置によって発電し、建築物の設備等に電力を供給するようにしている。
したがって、前記従来の集風装置は、例えばある地域全体の電力を賄えるような比較的大型の風力発電装置用としては適当でない。つまり、当該集風装置は小型であるため、大型の風力発電装置用として適当でない。
一方、集風装置を大型化すると、風を集風するための集風部を構成する部材も大きくなって、その重量が嵩むため、容易に大型化することができない。また、大型化すると、集風部を構成する部材がその重量のため下方に撓み易くなって、効率的に風を集風し難いという問題もある。さらに、大型化した場合に、前面側で受けた風を排出口に効率的に集風して排出する必要もある。
【０００６】
本発明は前記事情に鑑みてなされたもので、容易に大型化できるとともに、効果的に風を集風して排出できる集風装置およびこの集風装置を備えた風力発電設備を提供することを目的とする。
【課題を解決するための手段】
【０００７】
前記目的を達成するために、本発明に係る集風装置は、前面側から取り込んだ風を後面側に設けられた排出口に集風する集風部を備えた集風装置であって、
前記排出口は前記集風部の前面の上端より下方に設けられ、
前記集風部は前記前面側から前記後面側に向かうほど流路断面積が小さくなっており、
前記集風部は、空気が充填される空洞部を有しており、
前記集風部の上端部に大気中で浮力を有するバルーンが接続され、前記集風部の下端部に錘が接続されていることを特徴とする。
【０００８】
本発明においては、集風部の前面側で自然環境の風体積の流れを削って（風削り）、後面側に集風して送る。そして、排出口が集風部の前面の上端より下方に設けられ、集風部は前面側から後面側に向かうほど流路断面積が小さくなっているので、風の高さを下げて、平常圧の風の体積を高密度高圧に絞ったうえで、排出口から効率的に排出できる。
また、集風部は、空気が充填される空洞部を有しているため、集風部の軽量化を図ることができるとともに、集風部の上端部に大気中で浮力を有するバルーンが接続されているので、集風部がその重量のため下方に撓み難くなって、効率的に風を集風できる。
さらに、集風部の下端部に錘が接続されているので、バルーンによって集風部を大きく開かせることができるので、大型化も容易となる。
【０００９】
また、本発明の前記構成において、前記集風部は、左右一対の側壁部と、これら一対の側壁部間に架設された上壁部とを有し、
一対の前記側壁部は前記前面側から前記後面側に向うほど接近するように配置され、
前記上壁部は、前記前面側から前記後面側に向けて下方に傾斜するように配置されていてもよい。
【００１０】
このような構成によれば、左右一対の側壁部と上壁部とによって、排出口を集風部の前面の上端より下方に容易に設けることができるとともに、容易に集風部の流路断面積を前面側から後面側に向かうほど小さくすることができる。
【００１１】
また、本発明の前記構成において、前記側壁部および前記上壁部は、それぞれ複数の集風ユニットを連結することによって構成され、
前記集風ユニットは、枠状部材と、この枠状部材に取り付けられたエアーマットとを備え、
前記集風ユニットどうしは、それらの枠状部材どうしを連結することによって、連結されていてもよい。
【００１２】
このような構成によれば、エアーマットを枠状部材によって補強できるとともに、枠状部材どうしを連結することによって、集風ユニットどうしが連結されているので、側壁部および上壁部を容易に形成することができる。
【００１３】
本発明の風力発電設備は、前記集風装置と、この集風装置の前記排出口に接続された風力発電装置とを備えていること特徴とする。
【００１４】
本発明においては、集風装置の集風部によって、風の高さを下げて、平常圧の風の体積を高密度高圧に絞ったうえで、排出口から効率的に排出できるので、この風を利用して風力発電装置によって効率的に発電できる。
【００１５】
また、本発明の前記構成において、前記風力発電装置は、筒状体と、この筒状体の内部に当該筒状体の軸方向に沿って設けられた軸部と、前記筒状体の内部において、前記軸部に同軸かつ前記軸部の軸方向に複数設けられた羽根車とを備え、
前記羽根車は、前記軸部が挿通されることで、当該軸部に支持される筒状の支持部材と、この支持部材に軸受を介して軸回りに回転可能に設けられた回転体と、この回転体の外周部に設けられた複数の羽根とを備え、
前記支持部材と回転体とのうちの、いずれか一方に永久磁石が設けられ、他方にコイルが前記永久磁石と所定の隙間をもって設けられていてもよい。
【００１６】
このような構成によれば、筒状体の内部に複数の羽根車が設けられているので、筒状体の内部に風を流入させることで、効率よく羽根車を回転させて、永久磁石とコイルとの協働によって発電できる。このため、従来の風力発電装置に比して羽根を小さくできるので、省スペースで設置でき。また、筒状体によって、周りの風の影響も受け難く、騒音も抑制でき、外観上も見映えがいいものとなる。
また、羽根車は筒状体の内部に設けられているので、羽根車に当たる風（空気）が外方に逃げて風圧が下がることがなく、全ての羽根車に風が効率的に当たるので、効率的に発電できる。
また、羽根車は軸部に支持される支持部材と、この支持部材に軸受を介して回転可能に設けられかつ外周部に羽根が設けられた回転体とを備えているので、軸部に設けられる羽根車の数を容易に増減できる。したがって、風力や風量に応じて風力発電装置の能力を容易に調整できる。
【発明の効果】
【００１７】
本発明の集風装置によれば、集風部の排出口が当該集風部の前面の上端より下方に設けられ、集風部は前面側から後面側に向かうほど流路断面積が小さくなっており、集風部は、空気が充填される空洞部を有しており、集風部の上端部にバルーンが接続され、下端部に錘が接続されているので、容易に大型化できるとともに、効果的に風を集風して排出できる。
また、本発明の風力発電設備によれば、集風装置と、この集風装置の排出口に接続された風力発電装置とを備えているので、風力発電装置によって効率的に発電できる。
【図面の簡単な説明】
【００１８】
【図１】本発明の実施の形態に係る集風装置を示すもので、正面側から見た斜視図である。
【図２】同、背面側から見た斜視図である。
【図３】同、平面図である。
【図４】本発明の実施の形態に係る集風装置の集風ユニットを示すもので、（ａ）は正面図、（ｂ）は側面図、（ｃ）は側端面図である。
【図５】同、集風ユニットの一部を示す拡大図である。
【図６】同、集風ユニットの側面の一部を示す拡大図である。
【図７】同、集風ユニットの側端面の一部を示す拡大図である。
【図８】本発明の実施の形態に係る集風装置のバルーンを示す斜視図である。
【図９】本発明の実施の形態に係る風力発電設備を示すもので、その斜視図である。
【図１０】同、風力発電ユニット集合体を示す斜視図である。
【図１１】本発明の実施の形態に係る風力発電ユニットを示すもので、その斜視図である。
【図１２】同、内部を示す斜視図である。
【図１３】同、羽根車の斜視図である。
【図１４】同、羽根車の断面図である。
【発明を実施するための形態】
【００１９】
以下、図面を参照して本発明の実施の形態について説明する。
図１は、本発明に係る集風装置１を示すもので、正面側から見た斜視図、図２は背面側から見た斜視図、図３は平面図である。
図１〜図３に示すように、集風装置１は集風部２を備えている。この集風部２は、左右一対の側壁部３，３と、これら一対の側壁部３，３間に架設された上壁部４とを有している。
【００２０】
側壁部３は台形状に形成されており、互い対向する縦辺部（左右辺部）３ａ，３ｂは平行となっており、縦辺部３ａより縦辺部３ｂが短くなっている。また、上辺部３ｃは水平に対して傾斜しており、下辺部３ｄは水平となっているとともに、縦辺部３ａ，３ｂに対して直角に配置されている。
上壁部４は、台形状に形成されており、互いに対向する上辺部４ａと下辺部４ｂとは平行となっており、上辺部４ａより下辺部４ｂが短くなっている。また、左右辺部４ｃ，４ｃは水平に対して同角度で傾斜している。この左右辺部４ｃ，４ｃの傾斜角度は、側壁部３の上辺部３ｃの傾斜角度と等しくなっている。
【００２１】
そして、一対の側壁部３，３は集風部２の前面側から後面側に向うほど接近するように配置され、上壁部４は、集風部２の前面側から前記後面側に向けて下方に傾斜するように配置されている。
また、側壁部３の上辺部３ｃ，３ｃと上壁部４の左右辺部４ｃ，４ｃとは連結されており、側壁部３の縦辺部３ｂ，３ｂと、上壁部４の下辺部４ｂと、地面とによって囲まれた部分が風の排出口５となっている。
この排出口５は集風部２の前面の上端、つまり上壁部４の上辺部４ａより下方に設けられている。
また、上述したように一対の側壁部３，３および上壁部４を配置することによって、集風部２はその前面側から後面側に向かうほど流路断面積が小さくなっている。
【００２２】
側壁部３および上壁部４は、それぞれ複数の集風ユニット１０を連結することによって構成されている。
集風ユニット１０は、長方形状のものと直角三角形状のものの２種類あるが、まず長方形状の集風ユニット１０について説明する。
この集風ユニット１０は、図４および図５に示すように、枠状部材１１とこの枠状部材１１に取り付けられたエアーマット１２とから構成されている。
枠状部材１１は、２つの長辺部１３と２つの短辺部１４とを長方形枠状に組み立てることによって、長方形枠状に形成されている。長辺部１３は、図６に示すように、２つの長辺部材１３ａ，１３ａによって構成されており、当該長辺部材１３ａ，１３はエアーマット１２側より外側の方が開いている。短辺部１４は、２つの短辺部材１４ａ，１４ａによって構成されており、当該短辺部材１４ａ，１４ａは所定の隙間をもって平行に配置されている。
また、図５に示すように、長辺部１３には、貫通孔１３ｂが長辺部１３の長手方向に所定間隔で形成されており、短辺部１４には、貫通孔１４ｂが短辺部１４の長手方向に所定間隔で形成されている。なお、貫通孔１３ｂは２つの長辺部材１３ａ，１３ａに同軸に形成され、貫通孔１４ｂは２つの短辺部材１４ａ，１４ａに同軸に形成されている。
【００２３】
エアーマット１２は、図７に示すように、内部に空洞部を有する複数の円筒状部材１２ａをそれらの軸線を平行にして配置するとともに、互いに当接または近接させて連結したものであり、円筒状部材１２ａの両端部は閉塞されている。そして、各円筒状部材１２ａには図示しなし注入口から空気が充填されるようになっている。
なお、エアーマット１２は、複数の円筒状部材１２ａを連結して形成するのではなく、内部が空洞の板状部材によって形成してもよい。
このようなエアーマット１２は、各円筒状部材１２ａの両端部がそれぞれ枠状部材１１の短辺部１４，１４に固定され、両側に位置する円筒状部材１２ａ，１２ａがそれぞれ枠状部材１１の長辺部１３，１３に固定され、これによって長方形状の集風ユニット１０が構成されている。
【００２４】
また、直角三角形状の集風ユニット１０Ａは、図２に示すように、直角三角形状の枠状部材１１Ａとこの枠状部材１１Ａに取り付けられた直角三角形状のエアーマット１２Ａとから構成されている。枠状部材１１Ａは、直角を挟んで配置された長辺部１５および短辺部１６と、斜辺部１７とによって直角三角形状に形成されている。
エアーマット１２Ａは、複数の円筒状部材１２ａを連結することによって構成されているが、これら円筒状部材１２ａはその長さを少しずつ長くしつつ連結することで、略直角三角形状に形成されている。
このようなエアーマット１２Ａは、各円筒状部材１２ａの両端部がそれぞれ枠状部材１１Ａの斜辺部１７と長辺部１５とに固定され、短辺側に位置する円筒状部材１２ａが短辺部１６に固定され、これによって直角三角形状の集風ユニット１０Ａが構成されている。
【００２５】
そして、側壁部３は、長方形状の６つの集風ユニット１０と直角三角形状の３つの集風ユニット１０Ａを台形状に組み立てることによって形成され、上壁部４は、９つの集風ユニット１０と６つの集風ユニット１０Ａを台形状に組み立てることによって形成されている。
集風ユニット１０，１０どうしを連結する場合、図示しない長尺な連結部材を集風ユニット１０，１０間に配置して長辺部材１３ａ，１３ａ間に挿入し、貫通孔１３ｂと連結部材に形成された貫通孔とにボルトを挿通し、このボルトにナットを螺合して締め付けるとともに、連結部材を短辺部材１４ａ，１４ａ間に挿入し、貫通孔１４ｂと連結部材に形成された貫通孔とにボルトを挿通し、このボルトにナットを螺合して締め付けることによって行われている。
また、集風ユニット１０と集風ユニット１０Ａを連結する場合も同様にして行われている。
【００２６】
また、図１〜図３に示すように、集風部２の上端部に大気中で浮力を有するバルーン５０が接続されている。すなわち、集風部２の上壁部４の上辺部４ａには、８つのバルーン５０が所定間隔で接続されている。
バルーン５０は、図８に示すように、バルーン本体５０ａと、このバルーン本体５０ａの下方に接続された有底円筒状の連結部５０ｂとから構成されており、この連結部５０ｂが紐状の連結材５１によって上辺部４ａに接続されている。上辺部４ａを構成する集風ユニット１０の短辺部１４と集風ユニット１０Ａの短辺部１４には、連結部材５２が設けられており、この連結部材５２の端部に設けられた孔に前記連結材５１の端部が取り付けられている。
【００２７】
また、図１〜図３に示すように、集風部２の下端部に複数の錘５５が接続されている。すなわち、集風部２の左右の側壁部３の下端部にはそれぞれ４個の錘５５が所定間隔で固定されている。錘５５は側壁部３の下部を構成する４つの集風ユニット１０の下側の角部に固定されている。
また、集風部２の前方側の地面には、８個の錘５５が所定間隔で固定されている。これら錘５５は、図３に示すように平面視において、各バルーン５０の前方において、左右方向に一定間隔で一直線上に並設されている。そして、各錘５５と、当該錘５５の前方（図３において上方）に対向して配置されているバルーン５０とが紐状の連結材５６によって連結されている。
【００２８】
このような構成の集風装置１によれば、集風部２の前面側で自然環境の風体積の流れを削って（風削り）、後面側に集風して送る。そして、排出口５が集風部２の前面の上端より下方に設けられ、集風部２は前面側から後面側に向かうほど流路断面積が小さくなっているので、風の高さを下げて、平常圧の風の体積を高密度高圧に絞ったうえで、排出口５から効率的に排出できる。
また、集風部２は、空気が充填される空洞部（エアーマット１２，１２Ａの空洞部）を有しているため、集風部２の軽量化を図ることができるとともに、集風部２の上端部に大気中で浮力を有するバルーン５０が接続されているので、集風部２がその重量のため下方に撓み難くなって、効率的に風を集風できる。
さらに、集風部２の下端部に錘５５が接続されているので、バルーン５０によって集風部２を大きく開かせることができるので、大型化も容易となる。
【００２９】
また、バルーン５０が熱気によって大気中で上向きに浮力を得て、上壁部４を上方に引張る。この引張り力を利用して、エアーマット１２，１２Ａを有する集風ユニット１０，１０Ａによって構成された上壁部４およびこれに接続されているエアーマット１２，１２Ａを有する集風ユニット１０，１０Ａによって構成された側壁部３，３が、風の向って来る方向に向けて大きく拡げられる、つまり集風部２の前面が大きく開口するので、風を効果的に集風できる。
加えて、上壁部４に接続されている側壁部３，３の下端部に錘５５が直接接続（固定）され、上壁部４の上端部に連結材５６を介して錘５５が接続されているので、これら錘５５５がバルーン５０の浮力に抗してバランスするので、集風部２を大きく開かせるとともに排出口５を確実に開かせることができる。このため、集風した風を排出口５から排出させて、この風の風力を有効に利用できる。
【００３０】
また、集風部２は、左右一対の側壁部３，３と、これら一対の側壁部３，３間に架設された上壁部４とを有し、一対の側壁部３，３は集風部２の前面側から後面側に向うほど接近するように配置され、上壁部４は、集風部２の前面側から前記後面側に向けて下方に傾斜するように配置されているので、排出口５を集風部２の前面の上端より下方に容易に設けることができるとともに、容易に集風部２の流路断面積を前面側から後面側に向かうほど小さくすることができる。
【００３１】
また、側壁部３および上壁部４は、それぞれ複数の集風ユニット１０，１０Ａを連結することによって構成され、集風ユニット１０，１０Ａは、枠状部材１１，１１Ａと、この枠状部材１１，１１Ａに取り付けられたエアーマット１２，１２Ａとを備え、集風ユニット１０（１０Ａ）どうしは、それらの枠状部材１１（１１Ａ）どうしを連結することによって、連結されているので、エアーマット１２，１２Ａを枠状部材１１，１１Ａによって補強できるとともに、枠状部材１１，１１Ａどうしを連結することによって、集風ユニット１０，１０Ａどうしが連結されているので、側壁部３および上壁部４を容易に形成することができる。
【００３２】
図９は、上述したような集風装置１と、この集風装置１の排出口５に接続された風力発電ユニット集合体６０とを備えた風力発電設備を示す斜視図である。なお、図９では、錘５５と連結材５６は図示を省略している。
風力発電ユニット集合体６０は、図１０に示すように、縦横にマトリックス状に配置された複数の風力発電ユニット６１によって構成されている。
【００３３】
風力発電ユニット６１は、図１１に示すように、直方体枠状の収納ユニット２０と、この収納ユニット２０内に収納された風力発電装置３０とを備えている。
収納ユニット２０は、４本の棒状の構造材２１ａと、８本の棒状の構造材２１ｂとを構造材用継手２２によって接続することによって組み立てられた直方体枠状の枠体２３と、この枠体２３の内側に構造材２１ａに対して傾斜して配置された補強用の複数の構造材２１ｃとによって構成されている。
【００３４】
構造材２１ａ〜２１ｃはそれぞれ断面形状が等しい角パイプで形成されており、最も長い４本の構造材２１ａが枠体２３の４つの長辺を構成しており、最も短い８本の構造材２１ｂが４本の構造材２１ａの端部間に配設されている。
構造材用継手２２は、棒状の構造材２１ａ，２１ｂを接続するためのもので、当該構造材２１ａ，２１ｂの端部を挿入固定可能な３本の継手部材２２ａを備えている。各継手部材２２ａは正四角筒状に形成されており、それらの基端部は例えば溶接や接着等によって互いに結合されている。また、３本の継手部材２２ａは互いに直角に配置されており、これら継手部材２２ａどうしが補強部材２２ｂによって連結されている。
【００３５】
このような継手部材２２ａは、収納ユニット２０の８つの角部にそれぞれ配置されるとともに、これら構造材用継手２２によって複数の構造材２１ａ，２１ｂが直方体状に接続されることによって、収納ユニット２０が組み立てられている。
また、４本の構造材２１ａを構造材用継手２２によって正方形枠が構成され、この正方形枠が枠体２３の端面を構成している。図１１において、右側の正方形枠が枠体２３の先端面を構成し、左側の正方形枠が枠体２３の後端面を構成している。
【００３６】
構造材２１ｃは、構造材２１ａに対して傾斜し、かつ風力発電装置３０の外殻を構成する円筒状の筒状体３１を貫通して配置されており、その一端部は構造材２１ａに固定され、他端部は風力発電装置３０の後述する支持部材３３または軸部２５に固定されている。また、構造材２１ｃは、収納ユニット２０の先端面視において略Ｘ字形に配置されており、その交点部によって支持部材３３または軸部２５が支持されている。
【００３７】
風力発電装置３０は、図１１〜図１４に示すように、円筒状の筒状体３１と、この筒状体３１の内部に当該筒状体３１の軸方向に沿って設けられた軸部２５と、筒状体３１の内部において、軸部２５に同軸かつ軸部２５の軸方向に複数設けられた羽根車３２とを備えている。
羽根車３２は、図１３および図１４に示すように、軸部２５が挿通されることで、当該軸部２５に支持される円筒状の支持部材３３と、この支持部材３３に軸受３４を介して軸回りに回転可能に設けられた円筒状の回転体３５と、この回転体３５の外周部に設けられた複数の羽根３６とを備えている。
【００３８】
支持部材３３は、回転体３５より軸方向の長さが長くなっている。また、支持部材３３の一端（図４において左端）は回転体３５の一端より左方に突出しており、支持部材３３の他端（図４において右端）は回転体３５の他端とほぼ面一となっている。このような支持部材３３には軸部２５が挿通され、この軸部２５に支持部材３３が固定されている。
回転体３５の両端部の内周面には、それぞれ軸受３４の外輪が嵌め込まれ、内輪は支持部材３３の外周面に嵌め込まれている。したがって、回転体３５は軸受３４，３４に支持されて軸回りに回転可能となっている。
羽根３６は、回転体３５の軸に対して傾斜し、かつ周方向に等間隔で配置されており、回転体３５の先端側から風を受けることによって、回転体３５とともに回転するようになっている。
【００３９】
また、回転体３５の内周面には、永久磁石３７が設けられている。一方、支持部材３３の外周面には、凹部３３ａが周方向に沿って延在して形成されており、この凹部３３ａに円筒状のコイル３８が永久磁石３７と所定の隙間をもって設けられている。
そして、風によって羽根車３２とともに回転体３５が回転することで、永久磁石３７が回転し、この永久磁石３７とコイル３８との協働によって発電するようになっている。
なお、発電された電気はコイル３８から取り出されてバッテリーに蓄電されたり、直接使用されるようになっている。また、軸部２５には複数の羽根車３２が設けられるので、各羽根車３２の永久磁石３７とコイル３８との協働によって発電し、この電気がバッテリーに蓄電されたり、直接使用されるようになっている。
【００４０】
このような羽根車３２は、軸部２５に複数取り付けられるが、支持部材３３の一端が回転体３５の一端より突出しているので、軸方向に隣り合う羽根車３２，３２の羽根３６，３６どうしは互いに干渉しないようになっている。つまり、隣り合う羽根車３２，３２において、一方の羽根車３２の支持部材３３の突出している一端に、他方の羽根車３２の突出していない他端が当接することによって、隣り合う羽根車３２，３２の羽根３６，３６どうしが互いに干渉しない間隔が設けられる。
また、図１１および図１２に示すように、収納ユニット２０の内部に収納された風力発電装置３０は、その先頭の羽根車３２が収納ユニット２０の先端面側（図１１および図１２において右端面側）に位置し、末尾の羽根車３２が収納ユニット２０の後端面側（図１１および図１２において左端面側）に位置している。つまり、収納ユニット２０の内部にはその長手方向（軸方向）に沿って可能な限りの数の羽根車３２が同軸に収納されている。
【００４１】
このような風力発電ユニット６１は、その収納ユニット２０の構造材用継手２２どうしを結合したり、互いに当接する構造材２１ａ，２１ａどうし、構造材２１ｂ，２１ｂどうしを結合することによって、風力発電ユニット集合体６０を構成している。なお、上述した結合はボルト締めが好ましいが、溶接等によって行ってもよい。
【００４２】
集風装置１と風力発電ユニット集合体６０とを備えた風力発電設備は、例えば、山間部や島等に設置される。この場合、集風装置１の前面を風が吹いてくる方向に向けて設置する。
風力発電ユニット集合体６０は集風装置１の背面側でかつ下側に設けられているので、集風装置１によって集風された風は集風部２で流速を上げられたうえで、集風装置１の排出口５から排出される。そして、この排出された風は各風力発電ユニット６１の先端面から入り込んで、羽根車３２を回すので、永久磁石３７とコイル３８との協働によって発電する。
【００４３】
また、集風装置１は、発電に利用されるだけでなく、以下のような場合にも利用される。例えば、集風装置１を大都市に設置するとともに、集風装置１の排出口５に各種フィルターを設けることによって、集風装置１によって集風された大都市内の排気ガス汚染空気からフィルターによって汚染物質を除去して、清浄な空気を排出することによって、大都市における空気品質を調整できる。
また、集風装置１の排出口５にエアーコンプレッサを設置し、排出口５から排出される空気によってエアーコンプレッサを回して（作動させて）、高圧タンクに貯留して、酸素をつくることができる。
【００４４】
本実施の形態に係る風力発電設備は、集風装置１と、この集風装置１の排出口５に接続された風力発電装置３０とを備えているので、集風装置１の集風部２によって、風の高さを下げて、平常圧の風の体積を高密度高圧に絞ったうえで、排出口５から効率的に排出できるので、この風を利用して風力発電装置３０によって効率的に発電できる。
【００４５】
また、筒状体３１の内部に複数の羽根車３２が設けられているので、筒状体３１の内部に風を流入させることで、効率よく羽根車３２を回転させて、永久磁石３７とコイル３８との協働によって発電できる。このため、従来の風力発電装置に比して羽根を小さくできるので、省スペースで設置でき。また、筒状体３１によって、周りの風の影響も受け難く、騒音も抑制でき、外観上も見映えがいいものとなる。なお、本実施の形態では、筒状体３１は円筒状としたが、これに限ることはない。例えば、筒状体３１は、筒状であれば、４角筒状以上の多角筒状、楕円筒状、長円筒状であってもよい。また、筒状体３１は直線状に限ることなく、曲線状のものであってもよい。このようにすれば、風の流れの方向を主動的に曲げて、大都市内の汚染空気を所望の場所に吹き飛ばすこともできる。また、筒状体３１の内部にその軸方向に延在する複数の軸部を設け、各軸部にそれぞれ複数の羽根車３２を設けてもよい。
【００４６】
また、羽根車３２は筒状体３１の内部に設けられているので、羽根車３２に当たる風（空気）が外方に逃げて風圧が下がることがなく、全ての羽根車３２に風が効率的に当たるので、効率的に発電できる。
加えて、羽根車３２は軸部２５に支持される支持部材３３と、この支持部材３３に軸受３４を介して回転可能に設けられかつ外周部に羽根３６が設けられた回転体３５とを備えているので、軸部２５に設けられる羽根車３２の数を容易に増減できる。したがって、風力や風量に応じて風力発電装置３０の能力を容易に調整できる。
【００４７】
また、風力発電装置３０が収納ユニット２０の内部に収納されているので、この収納ユニット２０によって風力発電装置３０を保護できるともに、容易に所望の場所に設置でき、さらに、風力発電装置３０の搬送や設置現場での取り扱いも容易となる。
また、風力発電装置３０の先頭の羽根車３２が収納ユニット２０の先端面側に位置しているため、この先端面から風を受け入れて筒状体３１の内部に容易に流入させて、羽根車３２を回転させることができる。
さらに、収納ユニット２０を積み重ねたり、横方向に連結することによって、風力発電ユニット６１の設置数や設置位置を容易に調整できる。
【００４８】
また、集風装置１の排出口５に風力発電ユニット６１の収納ユニット２０の先端面が接続されているので、集風装置１に取り込んだ風を集風して排出口５から排出し、この排出した風を収納ユニット２０の先端面から筒状体３１の内部に流入させることがきる。したがって、風を効率的に風力発電装置３０に供給して、発電することができる。
【００４９】
また、集風部２の前面側で自然環境の風体積の流れを削って（風削り）、後面側に集風して送る。そして、排出口５が集風部２の前面の上端より下方に設けられ、集風部２は前面側から後面側に向かうほど流路断面積が小さくなっているので、風の高さを下げて、平常圧の風の体積を高密度高圧に絞ったうえで、排出口５から排出できる。排出口５から排出された風は高密度高圧になるとともに整流となるので、この流れを筒状体３１の内部に導いて当該内部に同軸に複数設けられている羽根車３２に連続的に当てて、当該羽根車３２を回転させることで、より効率的に発電することができる。
また、羽根車３２の回転によって、エアーコンプレッサを回して、圧縮空気を高圧タンクに貯留して、圧縮空気車に使用でき、また、酸素圧縮機を回して、酸素タンクに貯留できる。
さらに、排出口５にフィルターを設けることによって、集風部２で取り込んだ風（空気）中に含まれるゴミや埃等の異物を除去することができるので、発電とともに空気の浄化も行える。
また、集風装置１を風力発電ユニット集合体６０と切り離して使用することもできる。この場合、集風装置１の集風部２の排出口５にエアーフィルターを設けて、湿気を集めることで、雨水が少ない島等において飲料水を製造することもできる。さらに、風の水分を取ることによって、台風の勢力を弱めることもできる。
【００５０】
また、比較的重量の大きい風力発電ユニット集合体６０が集風装置１の背面側下部に設けられたうえで地面に設置されているので、集風装置１を安定的に設置できるとともに、風力発電ユニット６１内の風力発電装置３０のメンテナンス等を容易に行える。
【００５１】
また、風力発電設備をモータ等の駆動源によって回転可能な回転テーブル等に設置し、駆動源に風力発電装置３０で発電された電気を供給することによって、回転テーブルによって風力発電設備を鉛直軸回りに回転させるとともに、回転角度を制御可能に構成してもよい。これによって、風力発電設備を、その集風装置１の前面が風の吹く方向に向かうように回転制御できるので、効率的に発電できる。
【符号の説明】
【００５２】
１  集風装置
２  集風部
３  側壁部
４  上壁部
５  排出口
１０，１０Ａ  集風ユニット
１１，１１Ａ  枠状部材
１２，１２Ａ  エアーマット
２５  軸部
３０  風力発電装置
３１  筒状体
３２  羽根車
３３  支持部材
３４  軸受
３５  回転体
３６  羽根
３７  永久磁石
３８  コイル
５０  バルーン
５５  錘
６０  風力発電ユニット集合体
６１  風力発電ユニット
【図１】
2018031269.tif 000003
【図２】
2018031269.tif 000004
【図３】
2018031269.tif 000005
【図４】
2018031269.tif 000006
【図５】
2018031269.tif 000007
【図６】
2018031269.tif 000008
【図７】
2018031269.tif 000009
【図８】
2018031269.tif 000010
【図９】
2018031269.tif 000011
【図１０】
2018031269.tif 000012
【図１１】
2018031269.tif 000013
【図１２】
2018031269.tif 000014
【図１３】
2018031269.tif 000015
【図１４】
2018031269.tif 000016
【手続補正書】
【提出日】平成28年8月25日(2016.8.25)
【手続補正１】
【補正対象書類名】特許請求の範囲
【補正対象項目名】請求項４
【補正方法】変更
【補正の内容】
【請求項４】
請求項１〜３のいずれか１項に記載の集風装置と、
この集風装置の前記排出口に接続された風力発電装置とを備えていること特徴とする風力発電設備。